(57)【要約】木材の材質に依存することなく音色を改善できる新たなデザインの電気ギターの提供。ネック３とボディ２の連結構造として蟻溝部１２と蟻部１３による蟻組連結部を採用することで、弦５の張力によってネック３とボディ２とを相互に密着するように付勢して強固に連結することができる。ボディ２は、外周に設ける外枠部８Ａ又は内部に設ける内枠部８Ｂを有する金属製のフレーム８を有しており、ボディ２の全体を弦振動の共鳴体として効果的に機能させることができる。また、ボディ２の先端側から中央側にかけて扇形孔９を設けることで、軽量化しつつ音色を改善する。【選択図】図１
2017154662.tif 000002
【特許請求の範囲】
【請求項１】
ネックと、
木製のボディと、
前記ボディに取付けられ弦の一端側を保持する保持部材と、
を有する電気ギターにおいて、
前記ボディが弦振動を伝達するフレームを備えることを特徴とする電気ギター。
【請求項２】
前記フレームは、金属材でなる
請求項１記載の電気ギター。
【請求項３】
前記フレームは、前記保持部材の取付部を有する
請求項１又は請求項２記載の電気ギター。
【請求項４】
前記フレームは、前記ボディの外周を囲む外部フレーム部を有する
請求項１〜請求項３何れか１項記載の電気ギター。
【請求項５】
前記フレームは、前記ボディの内部に配置する内部フレーム部を有する
請求項１〜請求項４何れか１項記載の電気ギター。
【請求項６】
前記内部フレーム部は、前記外部フレーム部の少なくとも２つの部位に繋がる形状である
請求項５記載の電気ギター。
【請求項７】
前記ボディは、先端側から中央に向けて切り込むように前記ボディを部分的に欠如するカット部を有する
請求項１〜請求項６何れか１項記載の電気ギター。
【請求項８】
前記フレームは、前記カット部に沿う内周フレーム部を有する
請求項７記載の電気ギター。
【請求項９】
前記保持部材は、前記内周フレーム部に取付けられている
請求項８記載の電気ギター。
【請求項１０】
前記フレームは、前記ボディの先端側で前記カット部を介して対向する前記内周フレーム部の対向部位どうしを繋ぐ先端枠部を有する
請求項８又は請求項９記載の電気ギター。
【請求項１１】
前記カット部に取付けた音響調節部を有する
請求項７〜請求項１０何れか１項記載の電気ギター。
【請求項１２】
前記ネックと前記ボディは、ネックジョイント構造として蟻組連結部を有する
請求項１〜請求項１１何れか１項記載の電気ギター。
【請求項１３】
前記蟻組連結部は、前記ボディの表面側に溝が開口する蟻溝部と、前記ネックの裏面に設けた蟻部とを有する請求項１２記載の電気ギター。
【請求項１４】
前記蟻組連結部は、前記弦の張力によって相互に当接する前記ボディと前記ネックに設けた一対の係止面を有する
請求項１２又は請求項１３記載の電気ギター。
【発明の詳細な説明】
【技術分野】
【０００１】
本発明は、電気ギターの新たなデザインとその構造に関する。
【背景技術】
【０００２】
電気ギターは、弦の振動をピックアップによって電気信号に変換し、その電気信号をジャックに接続したシールドを通じてアンプに伝え、アンプで電気信号を増幅させることでスピーカから音を出力する弦楽器である。電気ギターについては、ストラストキャスタータイプやレスポールタイプ等、歴史的に幾つかの代表的なデザインのものが普及しており、ユーザはその中から好みのデザインや音色等に応じて電気ギターを選んでいる。【０００３】
その電気ギターの価値を決める音色については、ヘッド、ネック、ボディに使用する木材の材質の影響を受けることが知られている。弦の振動は弦と接するヘッド、ネック、そして弦のボディ側の端部を保持する保持部材であるブリッジやテールピースを通じてボディに伝達される。木製のボディは共鳴体として弦振動によって振動するが、そのボディを伝わる振動がブリッジやテールピースを通じて弦にフィードバックされて弦の振動に加わり、その弦振動をピックアップが電気信号に変換することで電気ギターごとに固有の音色を生じることになる。【０００４】
このように、弦の振動が伝わるボディの材質によって弦にフィードバックされる振動が異なるため、ボディに使用する木材は電気ギターの音色に大きな影響を及ぼす。例えば、メイプル材は高音域に特長があり、マホガニー材は中低音域に特長があり、アルダー材は高音域から中音域に特長があり、メイプル材と比較して乾いた音質になることが知られている。
【発明の概要】
【発明が解決しようとする課題】
【０００５】
ところで、電気ギターに使用できる木材の種類には限りがあることから、木材の種類を変えることで既存の電気ギターと音色について差別化するのは難しい。そのため、木材に熱加工するサーモウッド加工を施した木材を使用する電気ギターや、木質繊維を接着材と共に熱圧成型した繊維板からボディを構成する電気ギターのような木材の加工方法を工夫した電気ギターが徐々に市場に出てきてはいるものの、木材の材質を超えて多様な音色を実現するものは知られていない。【０００６】
そして木材の材質を変えることで音色を変える前述の方法に共通する課題は、これまでの電気ギターが前述した代表的な基本デザインを踏襲しており、そのため音色についてもデザイン上の制約を受けるということである。前述のとおりボディは電気ギターごとの固有の音色を作り出す弦振動の共鳴体として機能することから、自ずとボディにおける振動伝達性はその形状の影響を受ける。しかしながら、既存の電気ギターの形状は幾つかの基本デザインに固定化されており、既存の基本デザインを超えて多様な音色を実現しようとする新たな電気ギターは市場に出てきていない。即ち、デザインは成熟しており、その進化は止まったままである。【０００７】
以上のような既存の電気ギターを背景としてなされたのが本発明である。その目的は、木材の材質に依存することなく音色を改善できる新たなデザインの電気ギターを提供することにある。
【課題を解決するための手段】
【０００８】
前記目的を達成すべく本発明は、以下の電気ギターを提供する。【０００９】
本発明は、ネックと、木製のボディと、前記ボディに取付けられ弦の一端側を保持する保持部材と、を有する電気ギターについて、前記ボディが弦振動を伝達するフレームを備えることを特徴とする。【００１０】
本発明によれば、既存の木材のみの電気ギターでは実現できない多様な音色を実現することが可能となる。即ち前記ボディが、弦振動を伝達するフレームを備えるため、木製のボディによる振動伝達のみならず、フレームによっても弦振動を木製のボディに伝達させることができる。【００１１】
前記フレームについては、金属材でなるものとして構成できる。これによれば、弦振動をボディに対して効果的に伝達することができる。金属製のフレームとしては、具体的には内部減衰率が低い金属材料が好ましい。例えばアルミニウム、チタン、コバルトクロム合金等を使用することができる。【００１２】
前記フレームについては、保持部材の取付部を有するものとして構成できる。これによれば、弦の端部（例えばボールエンド）を保持する保持部材（例えばブリッジ、テールピース）をフレームの取付部に取付けることができるので、弦振動を直接的にフレームに伝達することができる。そしてフレームは外部フレーム部や内部フレーム部を通じて振動をボディに対して伝達することから、ボディ全体の振動伝達性を活かした音色の変化をより確実で効果的に実現することができる。【００１３】
前記フレームについては、前記ボディの外周を囲む外部フレーム部を有することができる。また、前記フレームについては、前記ボディの内部に配置する内部フレーム部を有することができる。【００１４】
本発明によれば、既存の木材のみの電気ギターでは実現できない多様な音色を実現することが可能となる。即ち、ボディの外周を囲む外部フレーム部は、ボディの中心側から離れたボディの外周への振動伝達性を向上させることができる。つまりボディの外周が外部フレーム部により包囲されて、その内側に振動伝達を閉じ込めることができるとともに、弦を保持する保持部材から離れているボディの外周側における振動伝達性を高めることができる。したがって、ボディ全体の振動伝達性を活かした音色の変化を効果的に実現することができる。また、ボディの内部に設ける内部フレーム部は、ボディの厚みの内部における振動伝達性を向上することができる。【００１５】
これら外部フレーム部と内部フレーム部は、その何れか一方を有するものとしてフレームを構成できるが、その双方を合わせ持つフレームとすることで、ボディの外周側と中心側の双方での振動伝達性、即ちボディ全体を活かした振動伝達による音色の改善を効果的に実現することができる利点がある。またフレームはその剛性によって木製のボディの剛性を補強できる。したがって弦の張力や乾燥状態によってボディに生じる反りを抑制することができる。【００１６】
前記外部フレーム部については、例えば以下の形態で構成することができる。
第１の形態は、ネックとの連結部位を除いてボディの外周全体を包囲する有端環状の形態である。
第２の形態は、ネックとの連結部位についてネック又はボディの裏面側に回り込む部位を設けたり、ネックとの連結部位を迂回するようにボディの内部に埋設する内部フレーム部を設けることで、ボディの外周を包囲する無端環状の形態である。
第３の形態は、ボディの外周に部分的に設ける形態である。これは例えばボディの長手方向に沿う左右の側面に設ける態様や、ボディの先端側に設ける態様等がある。【００１７】
前記内部フレーム部については、外部フレーム部の少なくとも２つの部位に繋がる形状とすることができる。これによれば、外部フレーム部どうしが内部フレーム部によって繋がるので、例えばボディの右側面にある外部フレーム部の部位とボディの左側面にある外部フレーム部の部位とが内部フレーム部で繋がることにより、ボディの中心側から外周側に振動を伝えやすくなり、その逆もまた振動伝達性が向上する。その結果、ボディ全体の振動伝達性を高めることが可能となる。また、外部フレーム部の異なる部位どうしが内部フレーム部により繋がることで、反りや捻りに対するフレームの全体剛性を高めることができる。そしてフレームの全体剛性が高まることで、木製のボディの剛性の補強効果も高まるので、弦の張力や乾燥状態の変化等により生じる反り等のボディの変形を、さらに効果的に抑制できる利点もある。【００１８】
このような内部フレーム部は、外部フレーム部の２つ以上の部位を繋ぐものであればよく、部位数については幾つであってもよい。また、内部フレーム部は、ボディの中心側からボディの外周に向かう放射状に伸長するものとして形成することができる。そして、その放射形状の中心には、保持部材の取付部を設けることができ、放射形状の外側端部には外部フレーム部を設けることができる。【００１９】
前記ボディについては、前記フレームを挟み込んで保持する表板と裏板とを有するものとして構成できる。これによれば、フレームと表板と裏板との組み合わせにより実現できる電気ギターの音色を、木材のみでボディを構成する場合よりも多種多様なものとすることができ、音色の選択の幅を広げることができる。この場合、フレームと表板又は裏板とには連結部を設けるのが好ましい。具体的にはフレームに孔を設け、表板又は裏板にはその孔に圧入する突起を設けるとよく、これとは逆にフレームに突起を設け、表板又は裏板には孔を設けてもよい。これによりフレームに対する表板と裏板の密着性が高まりフレームとボディとの振動伝達性を向上することができる。【００２０】
前記フレームについては、ボディを嵌め込む嵌合凹部を有するものとして構成できる。これによれば、木製のボディの外周縁がフレームの嵌合凹部に嵌り込むので、フレームにボディを密着させることができ、フレームとボディとの振動伝達性を高めることができる。また、木製のボディの外縁が嵌合凹部に嵌り込むため、ボディの外縁を破損等から保護することができる。【００２１】
前記ボディは、先端側から中央に向けて切り込むように前記ボディを欠如するカット部を有することができる。このカット部を有する電気ギターによれば、ボディを大きく軽量化でき、それにより音色も改善でき、さらに既存の電気ギターと一線を画した斬新なデザインを実現することができる。【００２２】
即ち、ボディの重量の違いが音色に影響を与えることが分かってきており、具体的にはボディの重量が軽いほど短い波長（高周波帯域）の音が生じやすく鮮明な音色となる傾向がある反面、ボディの重量が重いと長い波長（低周波帯域）の音が生じやすく不鮮明で鈍い音色となる傾向がある。したがって鮮明な音色を出すにはボディの材料として軽量な木材を使用することが好ましいとされているものの、大きくボディの重量を変えることは困難である。【００２３】
これに対して本発明であれば、カット部によってボディの重量を軽減することが可能であり、高周波帯域の音が生じやすくなり、より鮮明でクリアーな音色とすることができる。また、ボディの軽量化を、カット部という斬新でありながら美観を損ねない形状要素によって実現していることから、これまでにない既存の電気ギターと一線を画した斬新なギターデザインを実現することができる。【００２４】
なお、「カット部」は材料を切断して得られる形状部位だけを意味する用語ではなく、材料の切断によらずに形成される形状部位をも含む用語である。したがって、研磨、研削、溶解、材料の成形等、材料の一次加工や二次加工の別を問わず何れによって形作られる形状部位も含まれる。【００２５】
前記フレームについては、前記カット部に沿う内周フレーム部を有することができる。これによれば、フレームがカット部に沿う内周枠部を有するので、カット部から外部フレーム部又は内部フレーム部に通じる振動伝達経路がボディに形成され、ボディ全体の振動伝達性を向上することができる。【００２６】
前記保持部材については、内周フレーム部に取り付けることができる。これによれば、ブリッジやテールピース等の保持部材をボディのカット部にある内周フレーム部に取付けることができるので、弦の端部側をボディの表面側からボディの厚み内に位置するカット部へと屈曲させることができる。弦にそのような屈曲部を設けることで、弦の張力を維持しやすくすることができる。また、電気ギターのデザインについても、ブリッジやテールピースである保持部材をボディのカット部に配置するという、既存の電気ギターにない斬新で洗練されたデザインを実現することができる。さらに、ブリッジやテールピース等の保持部材がボディの表面に突出して配置されている従来の電気ギターと比較して、保持部材が奏者の手に当たることがなくなり、演奏の妨げになることを防止することができる。【００２７】
前記保持部材については、ボディのカット部の内部で弦の一端を固定するテール保持部を有する。これによれば、ボディのカット部の内部からボディの表面側へ弦を張るように、テール保持部によって弦を確実に保持することができる。また、これまでの電気ギターにない斬新なデザインの保持部材を実現することができる。【００２８】
前記フレームについては、ボディの先端側でカット部を介して対向する前記内周フレーム部の対向部位どうしを繋ぐ先端枠部を有することができる。これによれば、フレームの内周フレーム部どうしがボディの先端側で先端枠部によって繋がるので、カット部を介して離間する内周フレーム部どうしの間に振動伝達経路が形成されることになり、カット部を介して対向するボディの先端部どうしの間での振動伝達性を向上することができる。【００２９】
前記本発明については、前記カット部に取付けた音響調節部を有することができる。カット部に音響調節部を有するので、ボディの表面又は裏面に音響調節部に配置しなくてもよく、したがって演奏中に音響調節部が奏者の手に引っかかることが無くなり、演奏しやすい電気ギターとすることができる。【００３０】
前記ボディのカット部は、ボディの中央側から先端側にかけて幅広となる多角形状とすることができる。これによれば、ボディに先端側にかけて幅広となる多角形状のカット部によって、さらに斬新さを強調したデザインを実現することができる。こうした多角形状としては、例えば略台形状とすることができる。ボディの中央側から先端側に向けて広がる台形状のカット部を有することで、ボディがカット部を介して対向する双頭の尖頭形状となり、さらに斬新さを強調しながらも美観を損ねることのないデザインを実現することができる。【００３１】
前記ボディについては、表面又は裏面から外周に向かう傾斜面を有するものとして構成できる。これによれば、ボディの周縁部分の体積を削減して軽量化することができる。そのため短い波長の音が生じやすくすることができ、電気ギターの音色を鮮明なものとすることができる。また、傾斜面が日本刀の刃文のような意匠的印象をもたらし、鋭利で迫力のある意匠的印象を奏することができる。【００３２】
前記本発明の前記ネックと前記ボディについては、ネックジョイント構造として蟻組連結部を有することができる。【００３３】
既存のネックジョイント構造には、ボディとネックをボルト（ネジ）で固定する「デタッチャブル・ネック」、ボディとネックを接着固定する「セットネック」、ネック材をボディエンドまで伸長させ、その左右にボディ（ウィング）を接着固定する「スルーネック」の３種類が知られている。しかしながら「デタッチャブル・ネック」は、ボディとネックをボルト止めするため、ネックとボディとの生じる僅かな隙間によってネックからボディへの振動伝達性が低下してしまうという課題がある。また、ボルト締めの強さの度合いによってボディとネックの密着性が変化するため、振動伝達性も変化して音色が変わってしまうという課題がある。「セットネック」は、接着固定するため、ネックの取外しが不可能であるか極めて困難であり、折れたネックの交換やメンテナンス性に劣るという課題がある。また、ネックとボディとの間に接着層が介在するため、そこで振動伝達の媒質が変わるため、振動伝達性の面でも劣るという課題がある。そして「スルーネック」についてもセットネックと同様の課題がある。【００３４】
これに対して本発明では、ネックとボディを日本の伝統的な宮大工の技術を応用した前記蟻組連結部により連結する。エレキギターでは、弦１本あたり約５ｋｇｆ（４９Ｎ）を超える張力が作用しており、６弦を合計すると約４０ｋｇｆ（３９２Ｎ）を超える張力が作用しているのが一般的である。エレキベースはこれをさらに上回り、エレキギターよりも弦が太くて強いため、より大きな力で張っており、４弦を合計すると約８０ｋｇｆ（７８４Ｎ）を超える張力が作用しているのが通常である。【００３５】
前記蟻組連結部は、こうした弦の張力をネックとボディの密着性を高める力として利用する。蟻組を構成する蟻溝と蟻との対向面が、前述した弦の大きな張力の作用によって相互に密着する方向に付勢され、デタッチャブル・ネックにおけるボルトの締付力よりも遙かに大きな力で密着させることができる。本発明ではこうした密着性の高いネックジョイント構造でネックとボディとを連結することが可能であり、その密着性の高さによってネックからボディに入力される振動の伝達性も大きく向上することができる。【００３６】
強固な密着力を実現しながらも、セットネックやスルーネックのように接着剤を用いることは必須ではない。したがって弦の張力が解かれていれば、ネックとボディとの着脱は極めて容易であり、ネックやヘッドが破損した場合でもボディから容易に取外すことができて交換作業を楽に行うことができる。また、ネックとボディとの間に接着層がなければ、接着層による振動の伝達性の低下も起こらず、ネックからボディへの振動伝達性も良好であり、そしてボディの振動伝達性の向上により音の響きをよくすることができ、電気ギターの音色をより鮮明にできる効果がある。【００３７】
前記蟻組連結部については、前記ボディの表面側に溝が開口する蟻溝部と、前記ネックの裏面に設けた蟻部とを有するものとして構成できる。これによれば、蟻溝部の長さ方向に沿って蟻部が挿入され、その長さ方向に対する直交方向（ボディの表面に対する垂直方向）で、ネックの蟻部の側面が弦の張力によってボディの蟻溝部の溝面を押圧して密着状態で係止することができる。【００３８】
前記蟻組連結部は、前記弦の張力によって相互に当接するボディとネックに設けた一対の係止面を有するものとして構成できる。これによれば、ボディとネックに設けた一対の係止面が弦の張力によって相互に密着状態で係止することができる。その「一対の係止面」は蟻溝部の溝面と蟻部の側面により構成することができる。
【発明の効果】
【００３９】
本発明によれば、既存の電気ギターの基本デザインを超えて、音響面に優れており、これまでに無かった斬新なデザインを有する電気ギターを実現することができる。【００４０】
このような本発明は、エレキギターやベースギター等、様々な電気ギターとして実現することが可能であるため、電気ギターのデザインや技術にカテゴリーを超えた革新をもたらすことができる。
【図面の簡単な説明】
【００４１】
【図１】一実施形態の電気ギターを示す斜視図。
【図２】図１の電気ギターの正面図。
【図３】図２の背面図。
【図４】図１の電気ギターのボディの分解斜視図。
【図５】図４のＡ−Ａ断面図。
【図６】図１の電気ギターのフレームを示す斜視図。
【図７】図１の電気ギターのネック及びヘッドの斜視図。
【図８】図７のＢ−Ｂ断面図。
【図９】図１のテールピースの正面図。
【図１０】図１のテールピースの取付状態を示す側面図。
【図１１】変形例によるフレームの平面図。
【図１２】変形例による蟻溝部を示す説明図。
【発明を実施するための形態】
【００４２】
以下、本発明の一実施形態による電気ギターについて図面を参照しつつ説明する。本実施形態では電気ギター１の例としてエレキギターを説明するが、本発明は適宜変更を加えることでベースギターとして実施することも可能である。
【００４３】
本明細書、図面では、例えば図１で示すように電気ギター１の長手方向（前後方向）をＸ方向とし、「＋Ｘ」を電気ギター１の先端側、「−Ｘ」を後端側とする。同様に電気ギター１の幅方向をＹ方向とし、「＋Ｙ」を右側、「−Ｙ」を左側とする。そして電気ギター１の厚み方向をＺ方向とし、「＋Ｚ」を電気ギター１の表面側、「−Ｚ」を裏面側として説明する。しかしながらこれらの方向の特定は電気ギター１の使用方法等を限定するものではない。
【００４４】
電気ギターの全体構成〔図１〜３〕：
電気ギター１は、ボディ２と、ボディ２に接続されたネック３と、ネック３の後端側（−Ｘ）に設けられたヘッド４と、ヘッド４からネック３を経てボディ２に張られた弦５を備えている。
【００４５】
ボディの構成〔図１〜６〕：
ボディ２は、表板６、裏板７及びフレーム８を備える。表板６と裏板７は、フレーム８の表面８ａと裏面８ｂに固定されている。その固定方法として、本実施形態のフレーム８には、表面８ａと裏面８ｂに嵌合凹部８ｃがそれぞれ形成されており、そこに表板６と裏板７を圧入して密着状態で嵌め込むことで固定している。
【００４６】
表板６と裏板７のフレーム８に対する固定力を高めるために、嵌合凹部８ｃの底面８ｄや側面８ｅの全部または一部に接着層を設けるようにしてもよい。但し、こうした接着層は弦振動が伝わる媒質として表板６、裏板７、フレーム８とは異質であることから、使うとしても部分的に設ける方が良い。
【００４７】
表板６、裏板７、フレーム８を組み合わせたボディ２は、表板６と裏板７との間にフレーム８の板厚に相当する図示せぬ空洞を有する。そしてボディ２は、弦振動の共鳴体として振動することで、その形状、構造、木材の材質等に由来する固有の振動を生成し、その振動が弦５の振動にフィードバックされて、この電気ギター１に固有の音色を生み出すことになる。
【００４８】
ボディ２には、中央側から先端側（＋Ｘ）に向けて漸次幅広となる扇形孔９が形成されている。この扇形孔９は本発明の「カット部」を構成するものである。
【００４９】
ボディ２の周縁部分には、表板６及び裏板７の中央側から外周のフレーム８の側に向けて、表板６と裏板７の板面が滑らかに傾斜する傾斜面２ａが形成されている。この傾斜面２ａは、電気ギター１の後端側（−Ｘ）から先端側（＋Ｘ）に向けて漸次幅広となる形状とされており、あたかも日本刀の刀身に見られる刃文のような外観上の印象を与えるデザイン要素となっている。これによって電気ギター１は、後端側（−Ｘ）から先端側（＋Ｘ）に向けて徐々に刃文が広がることで、ボディ２に鋭利で迫力のある意匠的印象を奏するものとなっている。
【００５０】
表板の構成〔図１，２，４〕：
表板６は木材でなり、先端側（＋Ｘ）には扇形孔９を構成する扇形状の切欠部６ａを有する。切欠部６ａは、表板６の先端側から中央側に向けて凹状に木材を欠如して形成されており、これによって表板６には切欠部６ａを介して対向する一対の尖頭部６ｂが形成されている。表板６の材質としては、ヒノキ、セン、ハンノキ、イタヤカエデ、シナ等、楽器として用いた場合に音響特性に優れた木材や、それにサーモウッド加工等を施した加工木材を用いることができる。
【００５１】
表板６の表面には、弦５の振動を電気信号に変換するピックアップ１０ａ、１０ｂと、弦５を支持するブリッジ１１が取付けられており、弦５はこれらの上に張り渡されている。ボディ２の内部にはピックアップ１０ａ、１０ｂと電気的に接続されるトーンコントロール、ボリュームコントロール、アンプへの出力端子となるジャック、それらを繋ぐ配線等の電気部品が配置される。フレーム８の外周面にはジャックの差込口８ｆが形成されている。
【００５２】
表板６のネック３側の先端部には、図４、図５で示すようにネック３との蟻組みのための蟻溝部１２が形成されている。この蟻溝部１２は本発明の「蟻組連結部」を構成するものである。
【００５３】
蟻溝部１２は、溝底面１２ａの幅Ｗ１が上端の開口縁１２ｂの幅Ｗ２よりも広く形成されている。また、蟻溝部１２は、後述するネック３の蟻部１３を挿入する挿入口１２ｃから挿入方向奥側の奥壁１２ｄにかけて、溝底面１２ａの幅Ｗ１と開口縁１２ｂの幅Ｗ２が徐々に僅かに狭くなるように形成されている。
【００５４】
裏板の構成〔図３〕：
裏板７は木材でなり、表板６と同様に、先端側（＋Ｘ）に扇形孔９を構成する扇形状の切欠部７ａが形成されており、その両側には対向する一対の尖頭部７ｂが形成されている。裏板７も表板６と同様に、ヒノキ、セン、ハンノキ、イタヤカエデ、シナ等、楽器として用いた場合に音響特性に優れた木材やその加工木材が用いられている。なお、表板６と裏板７の木材の材質は同一である必要は無く、表板６と裏板７の材質を変化させることで、様々な音響特性の電気ギター１とすることができる。
【００５５】
フレームの構成〔図１〜４，６，１０〕：
図６はフレーム８の斜視図である。フレーム８の材質としては種々の金属材料を用いることができ、例えばアルミ合金、チタン合金、コバルトクロム合金等を用いることができる。アルミ合金の場合には、切削加工性が良く製造が容易であり、また軽量なフレーム８が得られる。チタン合金の場合には、アルミ合金よりも硬くて軽量であることから、剛性が高く軽量なフレーム８が得られる。コバルトクロム合金の場合にはアルミ合金やチタン合金よりも高硬度、高機械強度を有する金属であることから振動伝達性に優れており、電気ギター１の音色をより鮮明なものとすることができるため好ましい。
【００５６】
フレーム８は、外枠部８Ａ、内枠部８Ｂ、内周枠部８Ｃ、先端枠部８Ｄを有する形状となっている。
【００５７】
外枠部８Ａは、ボディ２の外周に設ける部分であり、本発明の「外部フレーム部」を構成する。具体的には、左右の側面部８Ａ１が形成されている。本実施形態の外枠部８Ａにはカッタウェイ８Ａ１ａ、８Ａ１ｂが形成されている。即ち、ダブルカッタウェイであり、そのうちの比較的長く突出するカッタウェイ８Ａ１ａには、電気ギター１にストラップ（図示略）を取付ける際に、ストラップの端部をカラビナ等で取付けるための環状の取付孔８Ａ１ｃが形成されている
【００５８】
内枠部８Ｂは、ボディ２の内部に設ける部分であり、本発明の「内部フレーム部」を構成する。本実施形態では、内枠部８Ｂとして、外枠部８Ａの左右の側面部８Ａ１の間を繋ぐ架設部８Ｂ１が形成されている。
【００５９】
内周枠部８Ｃは、表板６の切欠部６ａと裏板７の切欠部７ａと重なるように設ける部分である。この内周枠部８Ｃと、外枠部８Ａの先端枠部８Ｄとは連続して繋がっており無端で多角形の環状枠部８Ｅを形成する。
【００６０】
内周枠部８Ｃには３つの側面が形成されている。即ち、ボディ２の中央側から先端側（＋Ｘ）に向けて伸長する第１の長手側面８Ｃ１と、第２の長手側面８Ｃ２と、第１と第２の長手側面８Ｃ１、８Ｃ２の一端側を繋ぐ短手側面８Ｃ３である。
【００６１】
このうち第２の長手側面８Ｃ２には、「音響調節部」として複数のコントロールノブ１４が取付けられている。本実施形態では３つのコントロールノブ１４が取付けられている。短手側面８Ｃ３には、「保持部材」としてのテールピース１５をボルトＢでネジ止めする取付部８Ｃ３ａが形成されている（図１０）。
【００６２】
先端枠部８Ｄは、表板６と裏板７の一対の尖頭部６ｂ、７ｂの間に架け渡して形成されており、外枠部８Ａの一部を構成する。先端枠部８Ｄには、電気ギター１にストラップ（図示略）を取付ける際に、ストラップの端部をカラビナ等で取付けるための取付孔８Ｄ１が貫通形成されている。既存の電気ギターでは、ストラップピンが電気ギターの先端から突出しているため、電気ギターを立て掛けたときに姿勢が不安定になったり、ストラップピンが曲がったりすることがある。しかしながら、本実施形態では先端にあって突出しない取付孔８Ｄ１として形成されているので、そうした不都合は生じない。
【００６３】
以上のような内周枠部８Ｃ、先端枠部８Ｄ、そして内周枠部８Ｃと重なる表板６の切欠部６ａと裏板７の切欠部７ａによって、ボディ２には本発明の「カット部」を構成する扇形孔９が形成されることになる。扇形孔９は、ボディ２の中央側から先端側（＋Ｘ）に向けて徐々に幅広となる扇形状の形態となっている。
【００６４】
テールピースの構成〔図１〜４，６，９，１０〕：
この扇形孔９の内部には、弦５の端部を固定する「保持部材」としてのテールピース１５が取付けられている。テールピース１５は金属製であり、フレームと同様に、アルミ合金、チタン合金、コバルトクロム合金等が用いることができる。テールピース１５も、弦５の端部と直接接触するとともに、ボディ２に直接固定されるものであるため、振動伝達性の高い材質で形成するのが好ましい。この点では、特に高硬度であり、機械強度の高いコバルトクロム合金が好ましく、電気ギター１の音色を顕著に鮮明なものとすることができる。このコバルトクロム合金としては株式会社エイワ製「ＣＯＢＡＲＩＯＮ」（登録商標）を使用することができる。
【００６５】
テールピース１５には、図９、図１０で示すように、テール保持部１５ａと取付部１５ｂが形成されている。
【００６６】
テール保持部１５ａは、ブロック状に形成されており、複数の弦５の固定孔１５ｃが形成されている。弦５の固定孔１５ｃは、徐々に孔径が小さくなる形状とされており、ボディ２の先端側（＋Ｘ）から弦５を挿通すると、弦５のボールエンドが引っ掛かることで抜け止めされる。テール保持部１５ａは、前面が幅方向Ｙで円弧状に湾曲する形状とされており、そこに開口する固定孔１５ｃは縦長楕円状に並べて形成されていることで、既存のテールピースとは異質で斬新なデザインとなっており、特有の意匠的印象を発揮している。
【００６７】
取付部１５ｂは板状に形成されており、ボルトＢの挿通孔１５ｄが形成されている。テールピース１５は、取付部１５ｂをフレーム８の内周枠部８Ｃの短手側面８Ｃ３に沿わせてボルトＢで止めることでフレーム８に着脱可能に固定される。
【００６８】
図１０で示すようにテールピース１５がブリッジ１１よりも下側（−Ｚ側）に設けられていることにより、弦５を張った際にブリッジ１１からテールピース１５に向けて屈曲し、その弦５の端部に下方（−Ｚ側）に向けた張力が加わり、弦５を水平に一直線状に張って水平に保持する場合と比較して弦５の張りを強くするとともに張力を維持することができる。これにより電気ギター１の音色を持続的に鮮明なメリハリのあるものとすることができる。
【００６９】
ネック、ヘッドの構成〔図１〜３，７，８〕：
ネック３は、長板状の木製のネック本体１６の表面に薄い長板状の指板１７が取り付けられるとともに、指板１７上には金属製のフレット１８が取付けられている。
【００７０】
ネック本体１６の先端側（＋Ｘ）には、ボディ２と蟻組みで固定のための凸部である蟻部１３が形成されている（図７）。この蟻部１３は前述の蟻溝部１２とともに本発明の「蟻組連結部」を構成する。ネック本体１６の蟻部１３は、図８で示すように上端部の幅Ｗ３よりも下端部の幅Ｗ４の方が広くなっている。
【００７１】
ネック本体１６の蟻部１３の上端部の幅Ｗ３は、表板６の蟻溝部１２の開口縁１２ｂの幅Ｗ２と略同一となっている。また蟻部１３の下端部の幅Ｗ４は、表板６の蟻溝部１２の溝底面１２ａの幅Ｗ１と略同一となっている。
【００７２】
ヘッド４は、ネック３に連続して形成されている木製の部材であり、弦５の端部を固定する金属製のペグ１９及びペグポスト２０が設けられている。
【００７３】
ネック３及びヘッド４は、ヒノキ、セン、ハンノキ、イタヤカエデ、シナ等、楽器として用いた場合に音響特性に優れた木材を用いて作られている。
【００７４】
電気ギターの組立方法：
次に、電気ギター１の組立方法について説明する。
【００７５】
まず、電気ギター１のボディ２を組み立てる。ボディ２は、フレーム８の嵌合凹部８ｃに表板６と裏板７をそれぞれ圧入して取付ける。このとき嵌合凹部８ｃに接着層を設けて固定してもよいことは、前述した通りである。なお、フレーム８にはコントロールノブ１４等の電気部品が取付けられている。
【００７６】
次に、ボディ２とネック３を連結する。連結はボディ２の蟻溝部１２にネック３の蟻部１３を以下のようにして挿入することで行われる。
【００７７】
即ち、ボディ２の蟻溝部１２の挿入口１２ｃの側では、開口縁１２ｂの幅Ｗ２はネック３の蟻部１３の上端部の幅Ｗ３と略同一であり、蟻溝部１２の溝底面１２ａの幅Ｗ１はネック３の蟻部１３の下端部の幅Ｗ４と略同一となっている。
【００７８】
これに対して、ボディ２の蟻溝部１２は、蟻部１３の挿入口１２ｃの側よりも奥壁１２ｄの側の方が窄んだ形状となっている。
【００７９】
そのため蟻溝部１２に蟻部１３を挿入した嵌合当初の段階では、ほぼ抵抗なくスムーズに蟻部１３を蟻溝部１２に挿入できるが、その挿入抵抗は次第に強くなる。そして最終的には挿入抵抗に逆らうようにネック３を押圧することで、蟻部１３が蟻溝部１２に圧入されることとなる。このとき蟻部１３の先端部分は蟻溝部１２の奥端部である奥壁１２ｄに当接した状態となる。
【００８０】
ボディ２とネック３との嵌合後には、蟻部１３の挿入側先端部が蟻溝部１２の奥壁１２ｄに当接しているため、ネック３は挿入方向（＋Ｘ方向）への移動が規制されている。他方、蟻部１３と蟻溝部１２との間の押圧力及び摩擦力によって抜去方向（−Ｘ方向）への移動には強い抵抗力が作用する状態となっているが、このままでは抜け止めはできておらず、ボディ２からネック３を抜き取ることができる。
【００８１】
また、蟻部１３の下端部の幅Ｗ４は蟻溝部１２の開口縁１２ｂの幅Ｗ２よりも広いため、嵌合状態では、蟻部１３が蟻溝部１２から表板６の表面の上方に脱離しようとしても、蟻部１３の側面１３ａが対向する蟻溝部１２の側面１２ｅと係止して抜け止めされる。したがって、ネック３はボディ２の厚み方向（＋Ｚ方向）の移動が規制された状態となる。また、蟻部１３の底面１３ｂは、対向する蟻溝部１２の溝底面１２ａと当接するため、ネック３はボディに対して厚み方向（−Ｚ方向）への移動も規制されている。
【００８２】
さらに、蟻部１３の側面１３ａが対向する蟻溝部１２の側面１２ｅと当接するため、ネック３はボディ２に対して左右の幅方向（±Ｙ方向）への移動が規制されている。
【００８３】
以上のようにしてネック３をボディ２に蟻組みした状態では、ネック３はボディ２に対して仮固定されて、例えばネック３だけを持ってボディ２を支えなくても、ボディ２が落下しない程度の強さで固定されることとなる。
【００８４】
次に、ボディ２からネック３を経てヘッド４に弦５が張り渡される。弦５の一端側はボディ２のテールピース１５に固定され、他端側はヘッド４のペグポスト２０に固定される。
【００８５】
弦５のテールピース１５への固定は、前述のように弦５をテールピース１５の固定孔１５ｃに挿通し、弦５の端部のボールエンドを固定孔１５ｃに係止させればよい。
【００８６】
弦５のペグポスト２０への固定は、ペグポスト２０のペグ穴（図示略）にボールエンドを切除した弦５の端部を通し、ペグ１９を回してペグポスト２０の周囲に弦５を巻き付けることで行われる。
【００８７】
こうしてボディ２からヘッド４にかけて弦５を張ると、弦５はその張力によって蟻部１３と蟻溝部１２とが相互に突き当たる挿入方向へそれらを引っ張るように作用する。これとともに蟻部１３の側面１３ａが弦５の張力によって対向する蟻溝部１２の側面１２ｅに対して密着方向に付勢され、６本の弦５による大きな力で相互に密着させることができる。これによってネック３はボディ２に対する抜去方向（−Ｘ方向）への移動が規制された状態となり、ネック３のボディ２への固定が完了する。
【００８８】
電気ギターの作用効果：
上記構成による電気ギター１は、既に説明したものに加えて以下のような様々な特徴を有する。
【００８９】
電気ギター１によれば、ボディ２に「カット部」としての扇形孔９を設けているため、電気ギター１を大きく軽量化することができ、短い波長（高周波帯域）の音を生じやすくすることができ、これにより電気ギター１の音色を鮮明なものとすることができる。
【００９０】
デザインの面では、例えばボディに小孔を多数形成して軽量化を図る態様のように、見る者に煩雑な印象を与える軽量化とは異なり、ボディ２に大きな単一の扇形孔９を形成することにより統一感のある印象を与えることができる。そして既存の電気ギターと一線を画した斬新なデザインを実現することができる。
【００９１】
ボディ２の周縁部分は、表板６及び裏板７側からフレーム８に向けて滑らかに傾斜する傾斜面２ａを有することで、ボディ２の周縁部分の体積を削減することができる。これによりボディ２を軽量化できるため、短い波長の音が生じやすく、鮮明な音色とすることができる。また、デザインの面では、傾斜面２ａが「刃紋」のような意匠的印象をもたらし、ボディ２が鋭利で迫力のある意匠的印象を奏することができる。
【００９２】
ボディ２を木製の表板６及び裏板７と、金属製のフレーム８とにより構成することにより、これらの部材の材質を変化させることで得られる音色を木材のみでボディが作成された場合よりも多種多様なものとすることができ、音色の選択の幅を広げることができる。
【００９３】
即ち、フレーム８の外枠部８Ａは、ネック３と繋がるボディ２の中心側から離れた外周側における振動伝達性を向上することができる。
また、フレーム８の内枠部８Ｂは、ボディ２の内部における振動伝達性を向上することができる。特に外枠部８Ａの側面部８Ａ１どうしを繋ぐ架設部８Ｂ１として構成しているため、ボディ２の外周側どうしの振動伝達性を向上することができる。
したがって、ボディ２の外周側と中心側の双方での振動伝達性、即ちボディ２の全体を活かした振動伝達による音色の改善を効果的に実現することができる。
【００９４】
特に、架設部８Ｂ１より先端側（＋Ｘ）には２つの多重閉ループによる振動伝達経路が形成されている。第１の閉ループは、架設部８Ｂ１と外枠部８Ａの左右の側面部８Ａ１と先端枠部８Ｄによる振動伝達経路である。第２の閉ループは、その内側にある内周枠部８Ｃと先端枠部８Ｄによる振動伝達経路である。この大小２つの振動伝達経路は、何れも弦振動を直接受けるテールピース１５に直接繋がっている。したがって、ボディ２の全体を弦振動の共鳴体として効果的に機能させることができる。
【００９５】
また、架設部８Ｂ１より後端側（−Ｘ）には、後述する強固に相互に密着するネックジョイント構造によりネック３からボディ２への振動伝達経路が確保されている上に、外枠部８Ａの左右の側面部８Ａ１によってボディ２の外周の上半分がネック３の側面に至るまで取り囲まれた格好となっている。これによっても、ボディ２の全体を弦振動の共鳴体として効果的に機能させることができる。
【００９６】
フレーム８は、その剛性によって木製の表板６と裏板７の剛性を補強する。したがって、弦の張力や乾燥状態によってボディ２に生じる反りを抑制することができる。
【００９７】
弦５の張力が直接作用するテールピース１５は、木製の表板６や裏板７に固定されているのではなく金属製のフレーム８に固定されていることから、これによって弦５の張力によって表板６や裏板７に反りが発生するのを抑制することができる。
【００９８】
ネック３とボディ２とのネックジョイント構造は、蟻溝部１２と蟻部１３の蟻組みと弦５の張力のみでネック３とボディ５を強固に密着させることができる。これにより従来の電気ギターにおいて生じていたネック３とボディ２との間の、接着層及びその分の間隙を無くすことができ、ネック３からボディ２への振動伝達性を高めることができ、ボディ２の振動による音の響きを向上させて、電気ギター１の音色をより鮮明な音色とすることができる。
【００９９】
従来のネック３とボディ２を接着剤で固定する電気ギターと異なり、弦５を取り外せばボディ２からネック３を容易に取り外すことができる。そのためネック３やヘッド４が破損するアクシデントが生じた場合でも容易に交換することができ、メンテナンス性を向上することができる。
【０１００】
コントロールノブ１４が扇形孔９の内部に設けられていることにより、演奏中にこれらが奏者の手に引っかかることが無くなり、演奏しやすい電気ギター１とすることができる。
【０１０１】
コントロールノブ１４やテールピース１５が扇形孔Ｃの内部に設けられていることにより、これらがボディ２から外部に露出している従来の電気ギターと比較して統一感のある洗練された美観を与えることができる。
【０１０２】
実施形態の変形例〔図１１，１２〕：
本発明は上述した実施形態に限定されることなく、種々の変形が可能である。
【０１０３】
前記実施形態のフレーム８では内枠部８Ｂとして架設部８Ｂ１を有するものを例示したが、例えば図１１で示すような構造としてもよい。即ち内枠部８Ｂの架設部８Ｂ２が、内周枠部８Ｃの取付部８Ｃ３ａから伸長して外枠部８Ａのくびれ部８Ａ２に繋がる形態としたものである。このように内枠部８Ｂの架設部８Ｂ２によれば、テールピース１５の取付部８Ｃ３ａに対して繋がっているため弦振動の伝達を、前記実施形態よりもさらに効果的に外枠部８Ａに伝えることができる。また、この変形例のフレーム８のように、テールピース１５の取付部８Ｃ３ａを中心として、架設部８Ｂ２、内周枠部８Ｃの第１の長手側面８Ｃ１、第２の長手側面８Ｃ２が伸長し外枠部８Ａに繋がる形態であり、これによってボディ２の全体に弦振動を効率的に伝達することができる。
【０１０４】
前記実施形態ではフレーム８の材質として金属材料を例示したが、金属材料だけでなく木材や樹脂等他の材料を用いることもできる。しかしながら、金属材料と木材等では内部減衰率等が異なることから、弦振動をボディ２に伝達するフレーム８としてより適しているのは金属材料である。
【０１０５】
前記実施形態ではフレーム８が外枠部８Ａ、内枠部８Ｂ、内周枠部８Ｃ、先端枠部８Ｄを有する例を示したが、その何れかであってもよく、またそれらを２つ以上有するものでもよい。
【０１０６】
前記実施形態では「カット部」として扇形孔９を有するボディ２を例示したが、扇形孔９は省略してもよい。また、「カット部」としての扇形孔９は扇形ではなく他の多角形状や円形とすることもできる。
【０１０７】
前記実施形態では、図４、５で示すようにボディ２の表板６に蟻溝部１２を設ける例を示したが、図１２で示すように裏板７に蟻組用突起２１を形成して、ここに前記実施形態と同様の蟻溝部１２を設けるようにし、他方表板６には蟻組用突起２１が嵌まり込む蟻組用凹部６ｃを設ける構成としてもよい。表板６に蟻溝部１２を設けると、表板６の塗装をする際に蟻溝部１２をマスキングする作業が必要となり作業負担が大きい。しかしながら、図１２のような変形例とすることで表板６のマスキング作業が不要であり、また裏板７の表板６と合わせる面は塗装が不要であり、しかも蟻組用突起２１の長手側面は表板６の蟻組用凹部６ｃによって隠されて、蟻組用突起２１の上面はネック３を挿入すれば隠されるため、蟻組用突起２１を塗装する必要がなく作業負担を減らすことができる。
【０１０８】
前記実施形態ではボディ２とネック３のネックジョイント構造として蟻溝部１２と蟻部１３を例示したが、こうした蟻組連結部のない構成としてもよい。ボディ２とネック３はボルト締結や接着剤で固定することもできる。
【０１０９】
前記実施形態では、テールピース１５をフレーム８にボルトＢで固定する例を示したが、本発明ではこうした態様に限らない。フレーム８の一部にテールピースを一体形成されていてもよく、またテールピース１５をフレーム２に溶接や接着等により固定する態様であってもよい。
【０１１０】
前記実施形態では、電気ギター１としてエレキギターを例示したが、ベースギター等、様々な電気ギターに実施することが可能である
【符号の説明】
【０１１１】
１      電気ギター
２      ボディ
２ａ    傾斜面
３      ネック
４      ヘッド
５      弦
６      表板
６ａ    切欠部
６ｂ    尖頭部
６ｃ    蟻組用凹部
７      裏板
７ａ    切欠部
７ｂ    尖頭部
８      フレーム
８Ａ      外枠部
８Ａ１    側面部
８Ａ１ａ  カッタウェイ
８Ａ１ｂ  カッタウェイ
８Ａ１ｃ  取付孔
８Ａ２    くびれ部
８Ｂ      内枠部
８Ｂ１    架設部
８Ｂ２    架設部
８Ｃ      内周枠部
８Ｃ１    第１の長手側面
８Ｃ２    第２の長手側面
８Ｃ３    短手側面
８Ｃ３ａ    取付部
８Ｄ      先端枠部
８Ｄ１    取付孔
８Ｅ      環状枠部
８ａ      表面
８ｂ      裏面
８ｃ      嵌合凹部
８ｄ      底面
８ｅ      側面
８ｆ      差込口
９        扇形孔
１０ａ、１０ｂ    ピックアップ
１１      ブリッジ
１２      蟻溝部（蟻組連結部）
１２ａ    溝底面
１２ｂ    開口縁
１２ｃ    挿入口
１２ｄ    奥壁
１２ｅ    側面（係止面）
１３      蟻部（蟻組連結部）
１３ａ    側面（係止面）
１３ｂ    底面
１４      コントロールノブ
１５      テールピース（保持部材）
１５ａ    テール保持部
１５ｂ    取付部
１５ｃ    固定孔
１５ｄ    挿通孔
１６      ネック本体
１７      指板
１８      フレット
１９      ペグ
２０      ペグポスト
２１      蟻組用突起
Ｂ      ボルト
【図１】
2017154662.tif 000003
【図２】
2017154662.tif 000004
【図３】
2017154662.tif 000005
【図４】
2017154662.tif 000006
【図５】
2017154662.tif 000007
【図６】
2017154662.tif 000008
【図７】
2017154662.tif 000009
【図８】
2017154662.tif 000010
【図９】
2017154662.tif 000011
【図１０】
2017154662.tif 000012
【図１１】
2017154662.tif 000013
【図１２】
2017154662.tif 000014
【国際調査報告】
2017154662.tif 000015
2017154662.tif 000016
2017154662.tif 000017
2017154662.tif 000018